【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
ビル内に設置され前記ビル内のネットワークに接続されている複数の設備機器を探索し、前記複数の設備機器のそれぞれに予め割り当てられているアドレスデータを前記ネットワークを介して前記複数の設備機器のそれぞれから取得する機器探索手段と、
前記アドレスデータによって特定される前記複数の設備機器のそれぞれに前記ネットワークを介して所定の要求を送信する要求送信手段と、
前記要求に対応する応答を前記ネットワークを介して前記複数の設備機器のそれぞれから受信する応答受信手段と、
前記応答に基づいて前記複数の設備機器のそれぞれの種別を識別する機器識別手段と、
を有し、
前記要求送信手段は、前記複数の設備機器のそれぞれに第１の要求を送信し、前記複数の設備機器のうち前記第１の要求に対応する応答が他の設備機器と同じになった設備機器に対して、前記第１の要求とは異なる第２の要求を送信し、
前記機器識別手段は、前記第１の要求に対応する応答が他の設備機器と同じになった設備機器については、前記第１の要求に対応する応答と、前記第２の要求に対応する応答と、に基づいて種別を識別し、前記第１の要求に対応する応答が他の設備機器とは異なる設備機器については、前記第１の要求に対応する応答に基づいて種別を識別する、
ことを特徴とするビル管理装置。
【請求項２】
請求項１に記載のビル管理装置であって、
前記機器識別手段は前記応答の一部に基づいて前記設備機器を識別する、
ことを特徴とするビル管理装置。
【請求項３】
請求項１又は請求項２に記載のビル管理装置であって、
前記機器識別手段による識別結果を出力する出力手段を更に有する、
ことを特徴とするビル管理装置。
【請求項４】
請求項３に記載のビル管理装置であって、
前記ネットワークに接続されている前記設備機器の種別とアドレスデータとの対応付けを示す機器管理情報を予め記憶する機器管理記憶手段を更に有し、
前記出力手段は、前記識別結果と、前記機器管理記憶手段に記憶されている前記機器管理情報との差異を出力する、
ことを特徴とするビル管理装置。
【請求項５】
請求項３に記載のビル管理装置であって、
前記出力手段は、前記機器識別手段によって識別されなかった設備機器に割り当てられているアドレスデータを出力する、
ことを特徴とするビル管理装置。
【請求項６】
請求項１から請求項５のいずれか一項に記載のビル管理装置であって、
前記機器識別手段によって識別された設備機器の動作条件を前記ネットワークを介して設定する機器設定手段を更に有する、
ことを特徴とするビル管理装置。
【請求項７】
請求項１から請求項６のいずれか一項に記載のビル管理装置であって、
前記機器識別手段は、要求に対して前記設備機器から返信され得る応答に該当する情報である識別情報を取得し、前記設備機器からの前記応答と前記識別情報とに基づいて前記設備機器の種別を識別する、
ことを特徴とするビル管理装置。
【請求項８】
請求項７に記載のビル管理装置であって、
前記機器識別手段は、前記ネットワークに接続されたサーバから前記識別情報を取得して前記設備機器の種別を識別する、
ことを特徴とするビル管理装置。
【請求項９】
ビル内に設置された複数の設備機器とビル管理装置とが前記ビル内のネットワークを介して接続されたビル管理システムであって、
前記ビル管理装置は、
前記ネットワークに接続されている前記複数の設備機器を探索し、前記複数の設備機器のそれぞれに予め割り当てられているアドレスデータを前記ネットワークを介して前記複数の設備機器のそれぞれから取得する機器探索手段と、
前記アドレスデータによって特定される前記複数の設備機器のそれぞれに前記ネットワークを介して所定の要求を送信する要求送信手段と、
前記要求に対応する応答を前記ネットワークを介して前記複数の設備機器のそれぞれから受信する応答受信手段と、
前記応答に基づいて前記複数の設備機器のそれぞれの種別を識別する機器識別手段と、
を有し、
前記要求送信手段は、前記複数の設備機器のそれぞれに第１の要求を送信し、前記複数の設備機器のうち前記第１の要求に対応する応答が他の設備機器と同じになった設備機器に対して、前記第１の要求とは異なる第２の要求を送信し、
前記機器識別手段は、前記第１の要求に対応する応答が他の設備機器と同じになった設備機器については、前記第１の要求に対応する応答と、前記第２の要求に対応する応答と、に基づいて種別を識別し、前記第１の要求に対応する応答が他の設備機器とは異なる設備機器については、前記第１の要求に対する応答に基づいて種別を識別する、
ことを特徴とするビル管理システム。
【請求項１０】
コンピュータを、
ビル内に設置され前記ビル内のネットワークに接続されている複数の設備機器を探索し、前記複数の設備機器のそれぞれに予め割り当てられているアドレスデータを前記ネットワークを介して前記複数の設備機器のそれぞれから取得する機器探索手段と、
前記アドレスデータによって特定される前記複数の設備機器のそれぞれに前記ネットワークを介して所定の要求を送信する要求送信手段と、
前記要求に対応する応答を前記ネットワークを介して前記複数の設備機器のそれぞれから受信する応答受信手段と、
前記応答に基づいて前記複数の設備機器のそれぞれの種別を識別する機器識別手段と、
として機能させ、
前記要求送信手段は、前記複数の設備機器のそれぞれに第１の要求を送信し、前記複数の設備機器のうち前記第１の要求に対応する応答が他の設備機器と同じになった設備機器に対して、前記第１の要求とは異なる第２の要求を送信し、
前記機器識別手段は、前記第１の要求に対応する応答が他の設備機器と同じになった設備機器については、前記第１の要求に対応する応答と、前記第２の要求に対応する応答と、に基づいて種別を識別し、前記第１の要求に対応する応答が他の設備機器とは異なる設備機器については、前記第１の要求に対する応答に基づいて種別を識別する、
ことを特徴とするビル管理プログラム。
【手続補正２】
【補正対象書類名】明細書
【補正対象項目名】００１７
【補正方法】変更
【補正の内容】
【００１７】
請求項１に係る発明は、ビル内に設置され前記ビル内のネットワークに接続されている複数の設備機器を探索し、前記複数の設備機器のそれぞれに予め割り当てられているアドレスデータを前記ネットワークを介して前記複数の設備機器のそれぞれから取得する機器探索手段と、前記アドレスデータによって特定される前記複数の設備機器のそれぞれに前記ネットワークを介して所定の要求を送信する要求送信手段と、前記要求に対応する応答を前記ネットワークを介して前記複数の設備機器のそれぞれから受信する応答受信手段と、前記応答に基づいて前記複数の設備機器のそれぞれの種別を識別する機器識別手段と、を有し、前記要求送信手段は、前記複数の設備機器のそれぞれに第１の要求を送信し、前記複数の設備機器のうち前記第１の要求に対応する応答が他の設備機器と同じになった設備機器に対して、前記第１の要求とは異なる第２の要求を送信し、前記機器識別手段は、前記第１の要求に対応する応答が他の設備機器と同じになった設備機器については、前記第１の要求に対応する応答と、前記第２の要求に対応する応答と、に基づいて種別を識別し、前記第１の要求に対応する応答が他の設備機器とは異なる設備機器については、前記第１の要求に対応する応答に基づいて種別を識別する、ことを特徴とするビル管理装置である。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
請求項２に係る発明は、請求項１に記載のビル管理装置であって、前記機器識別手段は前記応答の一部に基づいて前記設備機器を識別する、ことを特徴とする。
【手続補正５】
【補正対象書類名】明細書
【補正対象項目名】００２０
【補正方法】変更
【補正の内容】
【００２０】
請求項３に係る発明は、請求項１又は請求項２に記載のビル管理装置であって、前記機器識別手段による識別結果を出力する出力手段を更に有する、ことを特徴とする。
【手続補正６】
【補正対象書類名】明細書
【補正対象項目名】００２１
【補正方法】変更
【補正の内容】
【００２１】
請求項４に係る発明は、請求項３に記載のビル管理装置であって、前記ネットワークに接続されている前記設備機器の種別とアドレスデータとの対応付けを示す機器管理情報を予め記憶する機器管理記憶手段を更に有し、前記出力手段は、前記識別結果と、前記機器管理記憶手段に記憶されている前記機器管理情報との差異を出力する、ことを特徴とする。
【手続補正７】
【補正対象書類名】明細書
【補正対象項目名】００２２
【補正方法】変更
【補正の内容】
【００２２】
請求項５に係る発明は、請求項３に記載のビル管理装置であって、前記出力手段は、前記機器識別手段によって識別されなかった設備機器に割り当てられているアドレスデータを出力する、ことを特徴とする。
【手続補正８】
【補正対象書類名】明細書
【補正対象項目名】００２３
【補正方法】変更
【補正の内容】
【００２３】
請求項６に係る発明は、請求項１から請求項５のいずれか一項に記載のビル管理装置であって、前記機器識別手段によって識別された設備機器の動作条件を前記ネットワークを介して設定する機器設定手段を更に有する、ことを特徴とする。
【手続補正９】
【補正対象書類名】明細書
【補正対象項目名】００２４
【補正方法】変更
【補正の内容】
【００２４】
請求項７に係る発明は、請求項１から請求項６のいずれか一項に記載のビル管理装置であって、前記機器識別手段は、要求に対して前記設備機器から返信され得る応答に該当する情報である識別情報を取得し、前記設備機器からの前記応答と前記識別情報とに基づいて前記設備機器の種別を識別する、ことを特徴とする。
【手続補正１０】
【補正対象書類名】明細書
【補正対象項目名】００２５
【補正方法】変更
【補正の内容】
【００２５】
請求項８に係る発明は、請求項７に記載のビル管理装置であって、前記機器識別手段は、前記ネットワークに接続されたサーバから前記識別情報を取得して前記設備機器の種別を識別する、ことを特徴とする。
【手続補正１１】
【補正対象書類名】明細書
【補正対象項目名】００２６
【補正方法】変更
【補正の内容】
【００２６】
請求項９に係る発明は、ビル内に設置された複数の設備機器とビル管理装置とが前記ビル内のネットワークを介して接続されたビル管理システムであって、前記ビル管理装置は、前記ネットワークに接続されている前記複数の設備機器を探索し、前記複数の設備機器のそれぞれに予め割り当てられているアドレスデータを前記ネットワークを介して前記複数の設備機器のそれぞれから取得する機器探索手段と、前記アドレスデータによって特定される前記複数の設備機器のそれぞれに前記ネットワークを介して所定の要求を送信する要求送信手段と、前記要求に対応する応答を前記ネットワークを介して前記複数の設備機器のそれぞれから受信する応答受信手段と、前記応答に基づいて前記複数の設備機器のそれぞれの種別を識別する機器識別手段と、を有し、前記要求送信手段は、前記複数の設備機器のそれぞれに第１の要求を送信し、前記複数の設備機器のうち前記第１の要求に対応する応答が他の設備機器と同じになった設備機器に対して、前記第１の要求とは異なる第２の要求を送信し、前記機器識別手段は、前記第１の要求に対応する応答が他の設備機器と同じになった設備機器については、前記第１の要求に対応する応答と、前記第２の要求に対応する応答と、に基づいて種別を識別し、前記第１の要求に対応する応答が他の設備機器とは異なる設備機器については、前記第１の要求に対する応答に基づいて種別を識別する、ことを特徴とするビル管理システムである。
【手続補正１２】
【補正対象書類名】明細書
【補正対象項目名】００２７
【補正方法】変更
【補正の内容】
【００２７】
請求項１０に係る発明は、コンピュータを、ビル内に設置され前記ビル内のネットワークに接続されている複数の設備機器を探索し、前記複数の設備機器のそれぞれに予め割り当てられているアドレスデータを前記ネットワークを介して前記複数の設備機器のそれぞれから取得する機器探索手段と、前記アドレスデータによって特定される前記複数の設備機器のそれぞれに前記ネットワークを介して所定の要求を送信する要求送信手段と、前記要求に対応する応答を前記ネットワークを介して前記複数の設備機器のそれぞれから受信する応答受信手段と、前記応答に基づいて前記複数の設備機器のそれぞれの種別を識別する機器識別手段と、として機能させ、前記要求送信手段は、前記複数の設備機器のそれぞれに第１の要求を送信し、前記複数の設備機器のうち前記第１の要求に対応する応答が他の設備機器と同じになった設備機器に対して、前記第１の要求とは異なる第２の要求を送信し、前記機器識別手段は、前記第１の要求に対応する応答が他の設備機器と同じになった設備機器については、前記第１の要求に対応する応答と、前記第２の要求に対応する応答と、に基づいて種別を識別し、前記第１の要求に対応する応答が他の設備機器とは異なる設備機器については、前記第１の要求に対する応答に基づいて種別を識別する、ことを特徴とするビル管理プログラムである。